(57)【特許請求の範囲】
【請求項１】
実行可能な複数種の機能を設定項目として表示する表示部と、
前記表示部での表示を制御する表示制御部と、
前記設定項目を選択する入力を受け付ける入力部と、
前記入力部への入力に基づき呼び出され、予め複数の設定項目の中から選択され、登録された前記設定項目の組み合わせであり、呼び出すことにより予め選択、登録された前記設定項目を設定するための画面を前記表示部に表示させるプログラムであるワークフローを記憶する記憶部と、
前記ワークフローの登録を開始する際に押下される開始キーと、前記ワークフローの作成を完了する際に押下される終了キーと、を有し、
前記表示制御部は、前記開始キーが押下されてから、前記終了キーが押下されるまで、少なくとも、表示入力装置のモードを、標準の入力モードである通常モードからワークフロー登録モードに移行し、
前記表示部は、前記通常モードでの前記設定項目の選択画面を表示するための画像データと同じ画像データを用い前記ワークフロー登録モードでの前記設定項目の選択画面を表示し、
前記入力部は、前記設定項目を選択する入力と、前記ワークフロー登録モードでの設定項目内の前記設定値を設定する入力を受け付け、
前記記憶部は、前記ワークフロー登録モードで選択された前記設定項目を含む前記ワークフローを記憶し、
更に、前記入力部は、前記ワークフロー登録モードで前記ワークフローとして登録すると選択された前記設定項目をまとめて、前記設定項目の設定順に列挙して表示する選択一覧画面を表示させる入力を受け付け、
前記表示制御部は、前記選択一覧画面を表示させる入力が前記入力部になされたとき、前記選択一覧画面を前記表示部に表示させるとともに、前記選択一覧画面で、前記ワークフローに含めると選択された各前記設定項目について、前記設定値による処理の結果をそれぞれ反映させたイメージ画像を、複数並べて前記表示部に表示させることを特徴とする表示入力装置。
【請求項２】
前記表示部は、前記通常モードでの前記設定項目内の設定値を設定するための設定画面を表示するための画像データと同じ画像データを用いて、前記ワークフロー登録モードでの設定項目内の前記設定値を設定するための設定画面を表示し、
前記記憶部は、前記ワークフロー登録モードで設定された各前記設定項目内の前記設定値を、前記ワークフローにおけるデフォルトの前記設定値として記憶することを特徴とする請求項１記載の表示入力装置。
【請求項３】
前記表示制御部は、前記ワークフロー登録モードでは、選択された前記設定項目を示すワークフロー設定状況画像を前記表示部に表示させることを特徴とする請求項１又は２に記載の表示入力装置。
【請求項４】
前記表示制御部は、前記ワークフロー設定状況画像として、既に選択された前記設定項目を示す選択済設定項目画像を選択順に前記表示部に表示させ、
前記入力部は、前記ワークフロー設定状況画像をスクロールさせる方向指示の入力を受け付け、
前記表示制御部は、前記表示部にスクロールさせると指示された方向に前記ワークフロー設定状況画像をスクロールさせることを特徴とする請求項３記載の表示入力装置。
【請求項５】
前記表示制御部は、前記ワークフロー設定状況画像として、既に選択された前記設定項目を示す選択済設定項目画像を選択順に前記表示部に表示させ、
前記表示制御部は、前記選択済設定項目画像を指定する入力が行われると、指定された選択済設定項目画像に対応する設定項目の設定画面を表示部に表示させることを特徴とする請求項３又は４に記載の表示入力装置。
【請求項６】
前記表示制御部は、前記ワークフロー登録モードでは、既に選択された前記設定項目を選択できなくすることを特徴とする請求項１乃至５の何れか１項に記載の表示入力装置。
【請求項７】
前記表示制御部は、前記ワークフロー登録モードで選択された各前記設定項目と前記設定値によって、予め禁止と定められた設定の組み合わせの関係である禁則関係が生じた場合、前記禁則関係が生じた旨をしめす禁則警告画像を前記表示部に表示させることを特徴とする請求項１乃至６の何れか１項に記載の表示入力装置。
【請求項８】
前記表示制御部は、前記ワークフロー登録モードで選択された各前記設定項目と前記設定値が、予め禁止と定められた設定の組み合わせの関係である禁則関係の一方に当てはまる場合、禁則関係にある他方の前記設定項目を、選択できなくすることを特徴とする請求項１乃至６の何れか１項に記載の表示入力装置。
【請求項９】
前記表示制御部は、前記終了キーが押下されると、前記ワークフローを作成してよいかの確認を行うための登録確認ウィンドウを表示することを特徴とする請求項１乃至８のいずれか１項に記載の表示入力装置。
【請求項１０】
前記入力部は、前記登録確認ウィンドウで、前記ワークフロー登録モードで前記ワークフローとして作成された内容で処理を行う旨の入力を受け付けることを特徴とする請求項９記載の表示入力装置。
【請求項１１】
表示入力装置の状態を報知するためのインジケータが設けられ、
前記表示制御部は、前記ワークフロー登録モードでは、前記インジケータの点消灯及び／又は、前記表示部での表示色を前記ワークフロー登録モードでないときの表示色と変えることを特徴とする請求項１乃至１０の何れか１項に記載の表示入力装置。
【請求項１２】
前記終了キーは、前記表示部に表示されるキー、及び／又は、ハードキーとして設けられることを特徴とする請求項１乃至１１のいずれか１項に記載の表示入力装置。
【請求項１３】
請求項１乃至請求項１２の何れか１項に記載の表示入力装置を有することを特徴とする画像形成装置。
【発明の詳細な説明】
【技術分野】
【０００１】
本発明は、表示部と、タッチパネル等の入力部を有する表示入力装置、及び、これを備えた複写機、複合機、プリンタ、ＦＡＸ装置等の画像形成装置に関する。
【背景技術】
【０００２】
例えば、複写機、複合機等の画像形成装置には、多くの機能が搭載される（例えば、拡大・縮小、濃度、集約印刷、両面印刷等）。多くの機能のうち、設定したい機能を選び出し、できるだけ簡易に機能の設定を行えるようにするため、例えば、液晶表示部やタッチパネルを備えた画面付きの表示入力装置が設けられることがある。又、画面付きの表示入力装置は、画像形成装置だけでなく、例えば、カ−ナビゲーション装置など、各種電気、電子機器に設けられる。
【０００３】
例えば、特許文献１には、運転支援画像を表示する運転支援画像表示装置が記載されている。又、装置に対する入力スイッチとして、タッチパネルやメカニカルなキースイッチが例示されている（特許文献１：請求項１、段落［００３６］、図１等参照）。
【先行技術文献】
【特許文献】
【０００４】
【特許文献１】特開２０００−２１６９６８号公報
【発明の概要】
【発明が解決しようとする課題】
【０００５】
一般に、カーナビゲーションシステムや、画像形成装置の操作パネルでは、使用者が所望する機能を選び出し、設定値等の設定を行った後、処理を実行させる（例えば、データ送受信や印刷等）。又、操作性、利便性向上のため、例えば、使用者用に割り当てられたキーに対応させ、使用者がよく用いる機能の設定項目や設定値を記憶させておくこともある。使用者は、割り当てられたキーを押下することで、ワンタッチで記憶内容に沿って設定は、完了される。このように、ある程度、使用者で表示入力装置をカスタマイズできるようにすることもある。
【０００６】
又、設定を容易なものとするため、表示入力装置には、例えば、ウィザード形式（対話形式）で、予め選別された設定画面のみを表示させることも考えられる。ウィザード形式で設定を行う際、例えば、メーカーが予めテンプレート（サンプル）を用意しておき、使用者は、テンプレートに基づき設定入力を行う。
【０００７】
更に、メーカーが予め用意したテンプレートにおける設定項目内の設定値を変更する等のカスタマイズを行って、独自のプログラムを記憶させることも考えられる。又、設定可能な機能（設定項目）の一覧から所望する設定項目を選び出して、独自のプログラムを作成することも考えられる。例えば、プログラムを呼び出すと、使用者は、予め選別された設定項目についてのみ、ウィザード形式等により確認し、簡易に設定を行える。
【０００８】
しかし、使用者が独自のプログラムを作成し、登録する場合、操作方法が、分かり難ければ、プログラム作成機能は活用されないという問題がある。例えば、通常の処理の設定方法とプログラムの作成方法が大きく異なれば、使用者はとまどう。更に、通常の設定方法とプログラムの作成方法が大きく異なれば、ワークフロー作成機能の実現のために余分に開発コストを要することになる。
【０００９】
本発明は、上記従来技術の問題点に鑑みてなされたものであり、表示入力装置での通常の設定項目の設定における操作と大きく変えることなく、独自の操作手順を登録可能とすることで、開発コストを抑えつつ、使用者のプログラム作成における利便性を高めることを課題とする。
【課題を解決するための手段】
【００１０】
上記課題解決のため請求項１に係る表示入力装置は、実行可能な複数種の機能を設定項目として表示する表示部と、前記表示部での表示を制御する表示制御部と、前記設定項目を選択する入力を受け付ける入力部と、前記入力部への入力に基づき呼び出され、予め複数の設定項目の中から選択され、登録された前記設定項目の組み合わせであり、呼び出すことにより予め選択、登録された前記設定項目を設定するための画面を前記表示部に表示させるプログラムであるワークフローを記憶する記憶部と、前記ワークフローの登録を開始する際に押下される開始キーと、前記ワークフローの作成を完了する際に押下される終了キーと、を有し、前記表示制御部は、前記開始キーが押下されてから、前記終了キーが押下されるまで、少なくとも、表示入力装置のモードを、標準の入力モードである通常モードからワークフロー登録モードに移行し、前記表示部は、前記通常モードでの前記設定項目の選択画面を表示するための画像データと同じ画像データを用い前記ワークフロー登録モードでの前記設定項目の選択画面を表示し、前記入力部は、前記設定項目を選択する入力と、前記ワークフロー登録モードでの設定項目内の前記設定値を設定する入力を受け付け、前記記憶部は、前記ワークフロー登録モードで選択された前記設定項目を含む前記ワークフローを記憶することとした。
【００１１】
この構成によれば、プログラムとしてのワークフロー（操作手順）の作成、登録の際、通常モードでの設定項目の選択画面の表示用の画像データと同じ画像データを用いワークフロー登録モードでの設定項目の選択画面が表示されるので、通常の機能の設定項目の選択と同様の操作感覚でワークフローの作成、登録を行うことができる。ここで、「ワークフロー」とは、選択された設定項目、各設定項目でデフォルトとしての設定値、設定項目の順番、表示形式、名称等のデータを含み、呼び出されることにより、予め定められた設定項目を設定するための画面を表示するプログラムである。
【００１２】
又、開始キーを押下するだけで、通常モードからワークフロー登録モードへの移行を行うことができる。これにより、使用者は、容易に独自のワークフローを作成、登録することができる。又、ワークフローの作成、登録のため、特別な画面や操作は不要でワークフロー登録機能を搭載するうえでの開発コストを抑えることができる。言い換えると、通常の設定と、ワークフローの作成で同じ資源（パネル資源）を使用できる。
【００１３】
又、請求項１に係る発明では、更に、前記入力部は、前記ワークフロー登録モードで前記ワークフローとして登録すると選択された前記設定項目をまとめて、前記設定項目の設定順に列挙して表示する選択一覧画面を表示させる入力を受け付け、前記表示制御部は、前記選択一覧画面を表示させる入力が前記入力部になされたとき、前記選択一覧画面を前記表示部に表示させることとした。
【００１４】
この構成によれば、選択一覧画面を表示させることができる。これにより、使用者は、意図する（所望する）設定項目が漏れていないかを視認して確認できる。従って、使用者は、設定項目や設定値に誤りのない適切なワークフローを作成、登録しやすくなる。
【００１５】
又、請求項１に係る発明では、前記表示制御部は、前記選択一覧画面で、前記ワークフローに含めると選択された各前記設定項目について、設定値による処理の結果をそれぞれ反映させたイメージ画像を、複数並べて前記表示部に表示させることとした。
【００１６】
この構成によれば、選択一覧画面で、選択された設定項目による処理の結果を反映させたイメージ画像が表示部に表示される。これにより、使用者は、作成し、登録しようとするワークフローによる処理結果を確認することができる。従って、使用者は、設定項目の過不足を視認により確認でき、使用者にとって最適、的確なワークフローの作成、登録が容易となる。
【００１７】
又、請求項２に係る発明は、請求項１の発明において、前記表示部は、前記通常モードでの前記設定項目内の設定値を設定するための設定画面を表示するための画像データと同じ画像データを用いて、前記ワークフロー登録モードでの設定項目内の前記設定値を設定するための設定画面を表示し、前記記憶部は、前記ワークフロー登録モードで設定された各前記設定項目内の前記設定値を、前記ワークフローにおけるデフォルトの前記設定値として記憶することとした。
【００１８】
この構成によれば、通常モードでの設定値の設定画面を表示するための画像データと同じ画像データを用いて、ワークフロー登録モードでの設定値の設定画面が表示される。そして、記憶部は、ワークフロー登録モードでの設定値をワークフローにおけるデフォルトの設定値として記憶する。これにより、通常の設定項目の設定値の設定と同様の操作感覚でワークフローでのデフォルトの設定値までも設定できる。
【００１９】
又、請求項３に係る発明は、請求項１又は２の発明において、前記表示制御部は、前記ワークフロー登録モードでは、選択された前記設定項目を示すワークフロー設定状況画像を前記表示部に表示させることとした。
【００２０】
この構成によれば、ワークフロー登録モードでは、選択された設定項目を示すワークフロー設定状況画像が表示部に表示される。これにより、作成中のワークフローに含ませるとして選択された設定項目は表示される。従って、使用者は、ワークフローの設定状況を容易に把握することができ、使用者はワークフローを容易に作成、登録できる。
【００２１】
又、請求項４に係る発明は、請求項３の発明において、前記表示制御部は、前記ワークフロー設定状況画像として、既に選択された前記設定項目を示す選択済設定項目画像を選択順に前記表示部に表示させ、前記入力部は、前記ワークフロー設定状況画像をスクロールさせる方向指示の入力を受け付け、前記表示制御部は、前記表示部にスクロールさせると指示された方向に前記ワークフロー設定状況画像をスクロールさせることとした。
【００２２】
この構成によれば、スクロールさせると指示された方向にワークフロー設定状況画像はスクロールされる。これにより、１つのワークフローに含めようとする設定項目が複数に及び、１画面上で選択された全ての設定項目を表示できなくても、使用者は、スクロールすることでワークフローとして登録しようと選択された設定項目の全てを確認することができる。従って、使用者はワークフローを容易に作成、登録できる。
【００２３】
又、請求項５に係る発明は、請求項３又は４の発明において、前記表示制御部は、前記ワークフロー設定状況画像として、既に選択された前記設定項目を示す選択済設定項目画像を選択順に前記表示部に表示させ、前記表示制御部は、前記選択済設定項目画像を指定する入力が行われると、指定された選択済設定項目画像に対応する設定項目の設定画面を表示部に表示させることとした。
【００２４】
この構成によれば、選択済設定項目画像を指定する入力が行われると、指定された選択済設定項目画像に対応する設定項目の設定画面が表示部に表示される。使用者は、設定項目や設定値の修正を行いたい設定項目を任意に、選択したうえで、迅速に設定値等の修正や変更等を行うことができる。従って、使用者はワークフローを迅速、容易に作成、登録できる。
【００２５】
又、請求項６に係る発明は、請求項１乃至５の発明において、前記表示制御部は、前記ワークフロー登録モードでは、既に選択された前記設定項目を選択できなくすることとした。
【００２６】
この構成によれば、ワークフロー登録モードでは、既に選択された各設定項目は、選択できなくなる。これにより、使用者は、同じ設定項目について重複して選択することが無く、ワークフローを容易に作成、登録できる。
【００２７】
又、請求項７に係る発明は、請求項１乃至６の発明において、前記表示制御部は、前記ワークフロー登録モードで選択された各前記設定項目と前記設定値によって、予め禁止と定められた設定の組み合わせの関係である禁則関係が生じた場合、前記禁則関係が生じた旨をしめす禁則警告画像を前記表示部に表示させることとした。
【００２８】
先に選択した設定項目及び設定値の設定と、後に選択した設定項目と設定値の設定に矛盾が生ずる場合がある（例えば、画像形成装置で言えば、原稿の白黒とカラーの自動判別設定を行ったのに、カラー印刷を行う設定を行った場合など）。このような場合、設定が食い違うため、処理を実行できない、或いは、無意味な設定がなされたワークフローが作成される。しかし、この構成によれば、予め禁止と定められた設定の組み合わせの関係である禁則関係が生じた場合、その旨をしめす禁則警告画像が表示部に表示される。これにより、矛盾のあるワークフローの作成、登録を防ぐことができる。従って、使用者にとって最適、的確なワークフローの作成、登録を容易に行うことができる。
【００２９】
又、請求項８に係る発明は、請求項１乃至６の発明において、前記表示制御部は、前記ワークフロー登録モードで選択された各前記設定項目と前記設定値が、予め禁止と定められた設定の組み合わせの関係である禁則関係の一方に当てはまる場合、禁則関係にある他方の前記設定項目を、選択できなくすることとした。
【００３０】
この構成によれば、表示制御部は、ワークフロー登録モードで選択された設定項目と設定値が、予め禁止と定められた設定の組み合わせの関係である禁則関係の一方に当てはまる場合、禁則関係にある他方の設定項目を、選択できなくする。これにより、先優先則に基づき、禁則関係が生ずるようなワークフローの作成、登録を防ぐことができる。従って、使用者にとって最適、的確なワークフローの作成、登録を容易に行うことができる。
【００３１】
又、請求項９に係る発明は、請求項１乃至８の発明において、前記表示制御部は、前記終了キーが押下されると、前記ワークフローを作成してよいかの確認を行うための登録確認ウィンドウを表示することとした。
【００３２】
本発明は、通常の設定画面等の資源を用いて、ワークフローの作成、登録を可能とするものであるところ、使用者は、通常の設定モードとワークフロー登録モードを混同してしまうことがある。しかし、この構成によれば、ワークフローを作成してよいかの確認を行うための登録確認ウィンドウが表示される。使用者は通常の設定モードとワークフロー登録モードとの混同していないか確認することができる。
【００３３】
又、請求項１０に係る発明は、請求項９の発明において、前記入力部は、前記登録確認ウィンドウで、前記ワークフロー登録モードで前記ワークフローとして作成された内容で処理を行う旨の入力を受け付けることとした。
【００３４】
本発明は、通常の設定画面等の資源を用いて、ワークフローの作成、登録を可能とするものであるところ、使用者は、通常の設定モードとワークフロー登録モードを混同してしまうことがある。しかし、この構成によれば、入力部は、登録確認ウィンドウでワークフローを作成しない旨の入力がなされた場合、ワークフロー登録モードで設定された内容で処理（ジョブ）を行う旨の入力を受け付ける。これにより、ワークフロー登録モードであると気付かないで設定を行っても、作成されたワークフローの設定どおり処理を行える。
【００３５】
又、請求項１１に係る発明は、請求項１乃至１０の発明において、表示入力装置の状態を報知するためのインジケータが設けられ、前記表示制御部は、前記ワークフロー登録モードでは、前記インジケータの点消灯及び／又は、前記表示部での表示色を前記ワークフロー登録モードでないときの表示色と変えることとした。
【００３６】
この構成によれば、表示制御部は、ワークフロー登録モードでは、インジケータの点消灯、及び／又は、表示部での表示色をワークフロー登録モードでないときの表示色と変える。これにより、ワークフロー登録モードであることを使用者に容易に認識させることができる。本発明では、通常の設定画面等の資源を用いて、ワークフローの作成、登録を可能とするものであり、使用者のモードの混同を避けることができる。例えば、使用者は通常の設定を行いたいのに、誤ってワークフロー登録モードで設定を行うことや、ワークフローの作成を行いたいのに、ワークフロー登録モードとなっていないことを確認できる。
【００３７】
又、請求項１２に係る発明は、請求項１乃至１１の発明において、前記終了キーは、前記表示部に表示されるキー、及び／又は、ハードキーとして設けられることとした。この構成によれば、開始キー、終了キーを複数種設けることができる。
【００３８】
又、請求項１３に係る画像形成装置は、請求項１乃至請求項１２記載の表示入力装置を備えることとした。この構成によれば、画像形成装置の機能、処理に関するワークフローを容易に作成、登録可能な画像形成装置を提供することができる。
【発明の効果】
【００３９】
上述したように、本発明によれば、表示入力装置での通常の設定項目の設定における操作と大きく変えないので、使用者は、独自のワークフロー（操作手順）を簡易にとまどうことなく作成、登録できる。又、ワークフロー作成機能を搭載する上で、開発コストは抑えられる。
【図面の簡単な説明】
【００４０】
【図１】実施形態に係る複合機の一例を示す正面模型的断面図である。
【図２】実施形態に係る後処理装置の一例を示す正面模型的断面図である。
【図３】実施形態に係る操作パネルの一例を示す平面図である。
【図４】実施形態に係る複合機のハードウェア構成の一例を示すブロック図である。
【図５】実施形態に係るワークフローを選ぶ際の呼出画面の一例を示す説明図である。
【図６】ワークフローをウィザード形式で表示した際の設定の流れの一例を示す説明図である。
【図７】ワークフローをメニュー形式で表示した際のメニュー画面の一例を示す説明図である。
【図８】実施形態に係る通常モードでの設定項目の選択画面の一例を示す説明図である。
【図９】実施形態に係る複合機でのワークフロー登録モードでのワークフロー作成画面の一例を示す説明図である。
【図１０】実施形態に係る複合機でのワークフローを登録する際の登録確認ウィンドウの一例である。
【図１１】実施形態に係る複合機でのワークフロー作成時の設定項目の表示の一例を示す説明図である。
【図１２】実施形態に係る複合機でのワークフロー作成時の設定項目の一覧表示の一例を示す説明図である。
【図１３】実施形態に係る複合機でのワークフロー作成時の設定項目の禁則解消の一例を示す説明図である。
【図１４】実施形態に係る複合機でのワークフロー作成時の設定項目の禁則防止の一例を示す説明図である。
【図１５】実施形態に係るワークフローの作成完了の旨の入力が行われるまでのワークフロー登録の流れの一例を示すフローチャートである。
【図１６】実施形態に係る複合機でのワークフローの作成完了の旨の入力が行われた後のワークフロー登録の流れの一例を示すフローチャートである。
【発明を実施するための形態】
【００４１】
以下、本発明の実施形態を図１〜図１６を用いて説明する。ここで、本発明は、各種表示入力装置に適用可能であるが、操作パネル１（表示入力装置に相当）を例に挙げ、複合機１００（画像形成装置に相当）に取り付けられた場合を例に挙げて説明する。但し、本実施の形態に記載されている構成、配置等の各要素は、発明の範囲を限定するものではなく単なる説明例にすぎない。
【００４２】
（画像形成装置の概略）
まず、図１と図２を用いて、本発明の実施形態に係る複合機１００の概略を説明する。図１は本発明の実施形態に係る複合機１００の一例を示す正面模型的断面図である。図２は、本発明の実施形態に係る後処理装置の一例を示す正面模型的断面図である。
【００４３】
図２に示すように、本実施形態の複合機１００（画像形成装置に相当）は、左側面に取り付けられたオプション装置としての後処理装置２を含む。後処理装置２は、複合機１００が印刷した用紙を取り込み、ステープル処理等の各種処理を行う。又、複合機１００の正面前方には、複合機１００に関して各種設定を行うための操作パネル１が設けられる（詳細は後述）。
【００４４】
図１に示すように、本実施形態の複合機１００は、上部に、画像読取部３と原稿搬送装置４が設けられる。複合機１００は、本体内部に、給紙部５ａ、搬送路５ｂ、画像形成部６、中間転写部７ａ、定着部７ｂ、排出搬送部８ａ、両面搬送路８ｂ等を備える。
【００４５】
原稿搬送装置４は、読み取る原稿を載置する原稿トレイ４１を有する。そして、原稿搬送装置４は、原稿トレイ４１から原稿を１枚ずつ、自動的に連続して読取位置（送り読取用コンタクトガラス３１）に搬送する。又、原稿搬送装置４は、図１の紙面奥側を支点として画像読取部３に上下方向に開閉自在に取り付けられ、画像読取部３のコンタクトガラス（送り読取用コンタクトガラス３１及び載置読取用コンタクトガラス３２）を上方から押さえるカバーとして機能する。
【００４６】
次に、画像読取部３は、図１に示すように、上面に送り読取用コンタクトガラス３１と、書籍等の原稿を１枚ずつ読み取る際に原稿を載置する載置読取用コンタクトガラス３２が配される。画像読取部３内には、ランプ、ミラー、レンズ、イメージセンサ等（不図示）が配される。イメージセンサは、送り読取用コンタクトガラス３１を通過する原稿、あるいは、載置読取用コンタクトガラス３２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部３は、カラーでも読み取り可能であり、白黒でも読み取り可能である。
【００４７】
複合機１００本体内の複数の給紙部５ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部５ａは、それぞれ回転駆動する給紙ローラ５１を備え、印刷時、１枚ずつ搬送路５ｂに用紙を送り込む。
【００４８】
搬送路５ｂは、給紙部５ａから画像形成部６まで、装置内で用紙を搬送する通路である。そして、搬送路５ｂには、用紙の案内のためのガイド板や、用紙搬送時に回転駆動する搬送ローラ対５２（図３おいて、上方から５２Ａ、５２Ｂ、５２Ｃの計３つ）や、搬送される用紙を画像形成部６の手前で待機させ、形成されたトナー像の転写タイミングに合わせ用紙を送り出すレジストローラ対５３等が設けられる。
【００４９】
画像形成部６は、複数の画像形成ユニット６０（ブラック用の６０Ｂｋ、イエロー用の６０Ｙ、シアン用の６０Ｃ、マゼンタ用の６０Ｍ）と露光装置６１を含む。露光装置６１は、画像読取部３で読み取られた画像データや後述の記憶装置９２に記憶される画像データ等に基づき、レーザ光を点消灯しつつ出力し、各感光体ドラムを走査露光する。画像形成ユニット６０は、回転駆動可能に支持された感光体ドラムや、感光体ドラムの周囲に配設された帯電装置、現像装置、清掃装置等を備える。そして、各画像形成ユニット６０と露光装置６１によって、感光体ドラムの周面上にトナー像が形成される。
【００５０】
中間転写部７ａは、各画像形成ユニット６０からトナー像の１次転写を受け、シートに２次転写を行う。中間転写部７ａは、各１次転写ローラ７１Ｂｋ〜７１Ｍ、中間転写ベルト７２、駆動ローラ７３、複数の従動ローラ７４、２次転写ローラ７５、ベルト清掃装置７６等で構成される。各１次転写ローラ７１Ｂｋ〜７１Ｍは、対応する感光体ドラムと無端状の中間転写ベルト７２を挟み込む。各１次転写ローラ７１Ｂｋ〜７１Ｍには、転写用電圧が印加され、トナー像は中間転写ベルト７２に転写される。
【００５１】
中間転写ベルト７２は、駆動ローラ７３等に張架され、モータ等の駆動機構（不図示）に接続される駆動ローラ７３の回転駆動により周回する。中間転写ベルト７２は、又、駆動ローラ７３は、２次転写ローラ７５とで中間転写ベルト７２を挟み込む。各画像形成ユニット６０で形成されたトナー像（ブラック、イエロー、シアン、マゼンタの各色）は、順次、ずれなく重畳して中間転写ベルト７２に１次転写された後、所定の電圧を印加された２次転写ローラ７５により、用紙に転写される。
【００５２】
定着部７ｂは、用紙に転写されたトナー像を定着させる。定着部７ｂは、主として、発熱体を内蔵する加熱ローラ７７とこれに圧接する加圧ローラ７８で構成される。そして、用紙が、加熱ローラ７７と加圧ローラ７８のニップを通過すると、トナーが溶融・加熱され、トナー像が用紙に定着する。定着部７ｂから排出された用紙は、排出トレイ８１又は後処理装置２方向に送られる。
【００５３】
排出搬送部８ａは、印刷済の用紙を後処理装置２方向、排出トレイ８１方向、両面搬送路８ｂ方向への用紙搬送方向の仕分けを行う。そして、排出搬送部８ａには、用紙を後処理装置２に向けて送り出す排出ローラ対８２と、排出トレイ８１方向に送り出す、或いは、両面印刷のため逆回転しスイッチバックを行う排出ローラ対８３を有する。各排出ローラ対８２、８３は、回転駆動する。又、排出搬送部８ａは、用紙の搬送方向を切り替えるため、例えば、２つの切替弁８４、８５を有する。各切替弁８４、８５は回動し、操作パネル１等で指定された排出先に導き、或いは、両面印刷の際、片面印刷済みの用紙を両面搬送路８ｂに導く。
【００５４】
両面搬送路８ｂは、定着部７ｂの下流側と、レジストローラ対５３の上流側とを結ぶ。両面搬送路８ｂには、両面印刷のため、回転駆動する複数の両面搬送ローラ対８６（８６Ａ、８６Ｂ、８６Ｃの計３つ）が設けられ、片面印刷済の用紙が搬送される。
【００５５】
一方、図２に示すように、後処理装置２内には、用紙束を一時的に蓄えるスタック部２１、穿孔処理を行うパンチ部２２、スタック部２１の用紙束に対し、ステープル処理を行うステープル部２３（スタック方向から見て用紙先端側をステープル）、ステープル部２４（用紙後端側をステープル）、中折ユニット２５などが備えられる。スタック部２１は複数枚の用紙を積み重ねて束とする処理を行う。中折ユニット２５は、中綴じステープル部２５１を含み、中綴じステープル部２５１による処理により中央綴じされた用紙束を中央でステープルに沿って折り曲げる。
【００５６】
具体的に、後処理装置２での各処理を説明する。まず、複合機１００から後処理装置２に向けて排出された印刷済用紙は、後処理装置２の側面に設けられた搬入口２６を通って後処理装置２内に搬入される。又、搬入口２６の下流には、パンチ部２２が設けられる。パンチ部２２は、用紙に穿孔処理を行う。そして、パンチ部２２の下流には、回転駆動して用紙を搬送する搬送ローラ対２７Ａ、２７Ｂと、用紙の搬送先にあわせて回動する案内爪２８が設けられる。操作パネル１への入力等で、ステープル処理等を行う選択されている場合、案内爪２８は用紙を案内爪２８下方のスタック部２１に送り込むように回動する。その結果、用紙は、スタック部２１に向けて搬送される。尚、折曲処理を行う場合は、用紙は、スタック部２１でスタックされた後、更に下方の中折ユニット２５に向けて搬送される。
【００５７】
一方、穿孔処理やステープル処理等を行う選択がなされていない場合（後処理装置２で何ら処理を行わせない場合）や、操作パネル１で排出先を副排出トレイ２１０に設定した場合など、案内爪２８は、例えば、用紙を案内爪２８の上方の排出ローラ対２９に送り込むように回動する。その結果、用紙は、排出ローラ対２９から、副排出トレイ２１０に排出される。
【００５８】
スタック部２１はカバートレイ２１Ａ及びスタックトレイ２１Ｂからなる。そして、搬送されてきた用紙は、カバートレイ２１Ａとスタックトレイ２１Ｂとの間に通される。用紙はスタックトレイ２１Ｂの上面に積み重ねられる。カバートレイ２１Ａは、用紙束を上方から押さえるカバーとして機能する。スタックトレイ２１Ｂには、搬送されてきた用紙を受け止めるストッパ２１Ｃが設けられる。ストッパ２１Ｃは上下動し、スタックされた用紙束を上方、又は、下方に搬送する。
【００５９】
そして、スタック部２１に付随して、用紙の先端側（スタックされた用紙の下方側）をステープルするステープル部２３と、用紙の後端側（スタックされた用紙の上方側）をステープルするステープル部２４が設けられる。各ステープル部２３、２４は、例えば、用紙束の先端の一方の隅を斜め４５°に１箇所綴じる斜め綴じなどを行う。そして、スタック部２１は、ステープル処理等が施された用紙束を上方へと搬送し、主排出トレイ２１１に排出する。
【００６０】
スタック部２１の下方に、中折ユニット２５が配置される。操作パネル１への入力等で、折曲処理が選択されている場合、スタック部２１で一旦スタックされた用紙束は、中折ユニット２５に向けて搬送される。スタック部２１から中折ユニット２５の搬送経路の途中に、例えば、用紙束を中央綴じするための中綴じステープル部２５１が設けられる。中綴じステープル部２５１は、用紙束の長手方向の中央を短手方向に沿って、例えば、２箇所ステープルで綴じる中央綴じ等を行える。中央綴じされた用紙束は、中折ユニット２５の突出棒２５２で折り曲げられた後、ブックレットトレイ２５３に排出される。
【００６１】
（操作パネル１）
次に、図３を用いて、本発明の実施形態に係る操作パネル１の一例を説明する。図３は、本発明の実施形態に係る操作パネル１の一例を示す平面図である。
【００６２】
操作パネル１は、図１及び図３に示すように、複合機１００の正面上方に設けられ、複合機１００や後処理装置２の設定や動作指示を与えるためのメニューやキーなど複合機等の状態メッセージ等の各種画像、画面を表示する液晶表示部１１（表示部に相当）を有する。使用者は、液晶表示部１１に表示されたキーを押下して、複合機１００のコピーにおける各種設定や、後処理装置２の設定や動作指示を行える。例えば、使用者は、後処理装置２でステープル処理を行う指示や用紙の排出先を設定入力できる。又、操作パネル１には、数字入力用のテンキー部１３（入力部に相当）や、各種設定後、コピー等の実行を指示するスタートキー１４（入力部、終了キーに相当）等も設けられる。
【００６３】
又、液晶表示部１１の上面に透明なタッチパネル部１２（入力部に相当）が設けられ、タッチパネル部１２は、使用者が液晶表示部１１に押下した部分の位置、座標を検出するためのものである。このタッチパネル部１２を用いた検出座標と、液晶表示部１１に示される各種キーの位置、座標を比較し、使用者が押下して選択したキーが特定される。尚、タッチパネル部１２としては、抵抗膜方式、表面弾性波方式、赤外線方式、静電容量方式等、各方式のものを採用でき特に制限はない。
【００６４】
又、コピー機能を利用する際に押下されるコピーキー１５（入力部に相当）、スキャナ機能、ＦＡＸ機能を利用する際に押下される送信キー１６（入力部に相当）等の入力、設定用のハードキー（入力部に相当）が設けられる。又、ワークフローの作成、登録やワークフローの呼び出しの際に押下されるワークフローキー１７（入力部、開始キー、終了キーに相当）も設けられる（詳細は後述）。このように、使用者は、液晶表示部１１での表示とタッチパネル部１２や各種ハードキーで複合機１００の各機能について、各種設定、モード選択等を行うことができる。
【００６５】
（複合機１００等のハードウェア構成）
次に、図４を用いて、本発明の実施形態に係る複合機１００等のハードウェア構成の一例を説明する。図４は、本発明の実施形態に係る複合機１００等のハードウェア構成の一例を示すブロック図である。
【００６６】
まず、複合機１００の本体側から説明する。複合機１００本体内には、本体制御部９が設けられる。本体制御部９は、例えば、操作パネル１、原稿搬送装置４、画像読取部３、給紙部５ａ、搬送路５ｂ、画像形成部６、定着部７ｂ、排出搬送部８ａ等と接続され、これらの制御を行う。
【００６７】
本体制御部９は、例えば、ＣＰＵ９１等で構成される。ＣＰＵ９１は記憶装置９２（記憶部に相当）に格納され、展開される制御プログラムに基づき演算等を行い、複合機１００の各部を制御する。尚、本体制御部９は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの本体制御部９をまとめた形態を示し、説明する。
【００６８】
記憶装置９２は、本体制御部９と接続される。記憶装置９２は、ＲＯＭ、ＲＡＭ、ＨＤＤ等の不揮発性と揮発性の記憶装置を組み合わせて構成される。記憶装置９２は、複合機１００の制御用プログラム、制御用データ、設定データ、画像データ等の各種データを記憶できる。又、特に、本発明に関し、記憶装置９２は、作成したワークフローを記憶できる。
【００６９】
そして、本体制御部９は、各種コネクタ、ソケットやＦＡＸモデム等を備えたインターフェイス部（以下、Ｉ／Ｆ部９３）と接続される。Ｉ／Ｆ部９３はネットワークや公衆回線等により複数の外部のコンピュータ２００（例えば、パーソナルコンピュータ）や相手方ＦＡＸ装置３００（図４では、いずれも便宜上１つのみ図示）と接続される。例えば、画像読取部３で得られた画像データを記憶装置９２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００７０】
又、本体制御部９は、操作パネル１になされた入力を認識し、使用者の設定にあわせてコピー等が行われるように複合機１００を制御する。操作パネル１で、後処理装置２を利用してステープルを行う設定や、副排出トレイ２１０に排出させる設定がなされると、例えば、本体制御部９は、排出搬送部８ａを制御し、印刷済用紙が後処理装置２に向けて搬送されるように、切替弁８４、８５を回動させる。又、例えば、操作パネル１で、複合機１００の胴内の排出トレイ８１に排出を行う設定がなされると、本体制御部９は、排出搬送部８ａを制御し、印刷済用紙が胴内の排出トレイ８１に搬送されるように、切替弁８４、８５を回動させる。
【００７１】
又、例えば、本体制御部９には、画像読取部３で原稿を読み取って得られた画像データやＩ／Ｆ部９３を介して複合機１００に入力された画像データに対し、画像処理を施す画像処理部９４が設けられる。画像処理部９４が処理した画像データは、例えば、露光装置６１に送信され、感光体ドラムの走査・露光に用いられる。
【００７２】
又、本体制御部９は、後処理装置２内に設けられ、後処理装置２の動作の制御を行う後処理制御部２０と通信可能に接続される。例えば、後処理制御部２０は、本体制御部９の指示に基づき、パンチ部２２やステープル部２３、２４等の動作を制御する。例えば、後処理制御部２０は、案内爪２８を回動させるモータの回転を制御する。そして、後処理制御部２０からの指示にあわせ（例えば、副排出トレイ２１０や主排出トレイ２１１への排出や、穿孔処理のためにスタック部２１への搬送等）、後処理装置２内のモータを正逆回転させ、用紙の搬送方向を制御する。
【００７３】
本実施形態の操作パネル１は、表示制御部１０、メモリ１０１（記憶部に相当）、ドライバ回路１０２、液晶表示部１１、タッチパネル部１２を有する。表示制御部１０は、ＣＰＵやＩＣ等で構成され、液晶表示部１１の表示を制御し、タッチパネル部１２の出力を受け、液晶表示部１１で押下された座標を特定する。タッチパネル部１２の出力と座標の対応を示すテーブル等のデータは、メモリ１０１に記憶される。そして、表示制御部１０は、押下位置の座標と、設定画面ＤＳの画像データを比較する等により、設定画面ＤＳ上で選択された（押下された）キーを特定する。
【００７４】
具体的に、複合機１００の各機能を設定するには、液晶表示部１１における最上層の表示から、液晶表示部１１に表示されるキーの選択を繰り返す。そして、キー選択ごとに、表示制御部１０は、液晶表示部１１の表示を切り換えさせ、最終的に、選択、設定しようとする機能が設定される。この機能の選択、設定が行われたことを表示制御部１０は認識し、その内容を本体の本体制御部９に送信する。これにより、操作パネル１で選択、設定された機能を反映した動作を本体制御部９が、画像形成部６等の各部に行わせ、使用者の意思が、印刷等において反映される（例えば、濃度設定や拡大縮小など）。
【００７５】
そして、液晶表示部１１が表示する画面、画像の画像データは、例えば、操作パネル１内のメモリ１０１に記憶される。従って、表示制御部１０は、設定画面ＤＳ中のキーが選択されるごとに、表示制御部１０は、次に表示すべき画面の画像データをメモリ１０１から読み出す。又は、本体側の記憶装置９２に記憶させてもよい。この場合、操作パネル１は、液晶表示部１１で表示を行うための画像データを、本体制御部９を介し、記憶装置９２から受信する。この画像データを受けて、表示制御部１０は、液晶画面の表示を実際に制御するドライバ回路１０２に指示を与える。尚、操作パネル１には、ドライバ回路１０２や、液晶表示部１１やタッチパネル部１２だけを設け、表示制御部１０、メモリ１０１の機能を本体制御部９の構成（ＣＰＵ９１や記憶装置９２）に代用させても良い。
【００７６】
（ワークフローの呼出、利用）
次に、図５〜図７を用いて、本発明の実施形態に係るワークフローの概要とワークフローの呼出、利用の一例を説明する。図５は、本発明の実施形態に係るワークフローを選ぶ際の呼出画面Ｄ１の一例を示す説明図である。図６は、ワークフローをウィザード形式で表示した際の設定の流れの一例を示す説明図である。図７は、ワークフローをメニュー形式で表示した際のメニュー画面Ｄ３の一例を示す説明図である。
【００７７】
本実施形態の複合機１００では、多数にわたる設定可能な機能を有し、多様な設定項目がある。そして、液晶表示部１１は、複数の設定項目のうちから設定を行う設定項目を選び出すための選択画面ＤＦを表示し、使用者は、印刷や送信で用いる設定項目（機能）を選ぶ（押下する）。例えば、液晶表示部１１は、各設定項目をキーとして表示する。又、液晶表示部１１は、選択された設定項目の設定画面ＤＳを表示する。使用者は各設定画面ＤＳに表示されるキーや、液晶表示部１１の周辺に配されたハードキー等を押下して、多種多様な機能選択、設定を行える。尚、設定項目及び設定項目に対する設定画面ＤＳの種類はあまりに多数にわたるため、便宜上、例として後述する場合を除き図示を避け、設定できる機能（設定項目）を以下に列挙するに留める。
【００７８】
まず、コピーとして利用する場合（コピーキー１５の押下でコピーモードとなる）、複合機１００には、例えば、原稿の画質（文字、写真、文字＋写真等）、コピー濃度、用紙選択、倍率、エコプリント、とじしろ、センター移動、枠消し、両面／分割（片面→両面、両面→片面、見開き→両面等）、小冊子、表紙付け、原稿セット向き、原稿サイズ、ソート、仕分け、白黒反転、鏡像印刷、ページ付け、イメージ合成、集約（２ｉｎ１、４ｉｎ１等）、余白追加、連続読込一括印刷、試しコピー、再コピー、ステープル、パンチ等の設定項目が用意される。使用者は、液晶表示部１１に表示される各設定項目の設定画面ＤＳへの入力により、設定項目内の設定値を設定する。
【００７９】
次に、複合機１００をスキャナとして利用する場合（送信キー１６の押下で複合機１００をスキャナとして利用できる）、例えば、複合機１００には、原稿サイズ、送信サイズ、解像度、原稿セット向き、保存ファイル形式、画質（濃度、カラーモード、圧縮率、写真や文字等の原稿の画質等）、分割、枠消し、ページ毎出力、連続読み込み、ファイル名入力、センター移動、送信先選択、送信先登録、パスワード、Ｅメール送信、相手方受信確認等の設定項目が用意される。使用者は、液晶表示部１１に表示される各設定項目の設定画面ＤＳへの入力により、設定項目内の設定値を設定する。
【００８０】
次に、複合機１００をＦＡＸとして利用する場合（送信キー１６の押下で複合機１００をスキャナとして利用できる）、例えば、複合機１００には、自局情報登録（ＦＡＸ番号、ＩＤ等）、ダイレクト送信、メモリ送信、回転通信、一括送信、Ｆコード通信、用紙切れ時受信、短縮番号、原稿濃度、原稿サイズ、送信先選択、送信先登録、リダイヤル、両面送信、拡大・縮小送信、予約送信、割込送信、時刻指定通信、ポーリング通信、中継送信、受信画像データの転送、暗号通信、通信結果通知、用紙サイズ確認、集約（２ｉｎ１等）、両面受信等の設定項目が容易される。使用者は、液晶表示部１１に表示される各設定項目の設定画面ＤＳへの入力により、設定項目内の設定値を設定する。
【００８１】
ここで、例えば、用紙の消費を抑えるため、集約と両面が組み合わせて設定される場合など、使用者が複合機１００を利用する上で、頻繁に組み合わせられる設定項目が存在する。ところが、上記のように、複合機１００の有する設定項目（機能）は多岐にわたり、複合機１００を利用するたびに、同様の設定を行うことは煩わしく、利便性が悪い。
【００８２】
そこで、本実施形態の複合機１００では、予め頻繁に用いる設定項目の組み合わせを予め選択、作成し、設定項目の組み合わせをワークフロー（プログラム）として記憶させることができる（詳細は後述）。そして、使用者は、記憶装置９２に記憶されたワークフロー（予め選択した設定項目や表示順や表示形式を示すデータを含むプログラム）を呼び出すと、予め選択した設定項目を設定するための画面が液晶表示部１１に表示される。
【００８３】
例えば、使用者は、予め登録されたワークフローを呼び出す場合、ワークフローキー１７を押下する。そうすると、図５に示すように、予め登録されたワークフローのうち、用いる（呼び出す）ワークフローを選択するための呼出画面Ｄ１が液晶表示部１１に表示される。例えば、図５では、「きれいにコピー」、「節約コピー」、「かんたんＦＡＸ」、「かんたんメール」、「かんたんフォルダ」、「自分のフォルダへ保存」と名付けられたワークフローが表示される。そして、各ワークフローを示す画像を押下することで、押下されたワークフローが記憶装置９２やメモリ１０１から呼び出され、液晶表示部１１にワークフローによる設定のための画面が表示される。
【００８４】
又、呼出画面Ｄ１の下方には、新たにワークフローを作成する場合や既に登録されたワークフローの編集を行う際に押下される登録／編集キーＫ１が配される。又、ワークフローの呼び出しを止めるためのキャンセルキーＫ２も配される。又、図５で示すように、１画面中に表示できるワークフローには限りがある。そこで、次キーＫ３を押下すると、次ページの呼出画面Ｄ１に切り替わり、図５とは異なるワークフローを示す画像が表示される。又、前キーＫ４を押下すると、前ページの呼出画面Ｄ１に切り替えられる。
【００８５】
次に、ワークフローを呼び出した際の表示、設定を説明する。尚、ワークフローを呼び出した際、設定のための画面の表示形式としては、ウィザード表示形式、メニュー表示形式、一覧表表示形式が用意される。いずれの表示形式で表示するかは、例えば、ワークフローの登録時等に設定することができる。そこで、表示形式ごとにワークフローを呼び出した際の設定を説明する。
【００８６】
［ウィザード表示形式］
まず、図６を用いて、ワークフローでのウィザード表示形式を説明する。例えば、図６は、図５における「節約コピー」のワークフローを呼び出した際のウィザード形式でのワークフローの一例を示している。
【００８７】
図６に示すワークフローは、「用紙選択」と「排出先選択」と「倍率」と「集約」と「両面／分割」の設定項目が含まれるように作成、登録されている。又、ワークフローは、「用紙選択」の設定画面ＤＳ１→「排出先選択」の設定画面ＤＳ２→「倍率」の設定画面ＤＳ３→「集約」の設定画面ＤＳ４→「両面／分割」の設定画面ＤＳ５の順に、各設定項目の設定画面ＤＳを表示するように作成、登録されている。尚、図６での黒線矢印は、表示順を示す。
【００８８】
各設定画面ＤＳでは、前キーＫ５と次キーＫ６がそれぞれ配される。前キーＫ５が押下されると、液晶表示部１１は、１つ前の設定項目の設定画面ＤＳを表示する。又、次キーＫ６が押下されると、液晶表示部１１は、１つ先の設定項目の設定画面ＤＳを表示する。使用者は、各設定画面ＤＳ内に配された設定用のキーを押下することで、各設定項目での設定値を設定することができる。例えば、図６に示すように、押下された設定用のキーは、白黒反転（黒背景に白文字）状態で表示される。
【００８９】
尚、ワークフローの作成、登録時には、各設定画面ＤＳを表示する際に、選択、設定されている設定値のデフォルト値を定めておくことができる。このデフォルト値は、ワークフローの一部として記憶装置９２に記憶される。例えば、集約では「４ｉｎ１」をデフォルト値とするように、ワークフローが作成された場合、初めて「倍率」の設定画面ＤＳ３→「集約」の設定画面ＤＳ４に表示を切り替えた際、図６に示すように、４ｉｎ１キーは、既に選択されている状態として液晶表示部１１に表示される。
【００９０】
そして、ワークフローとして予め登録された５つの設定項目について全て設定が完了し、「両面／分割」の設定画面ＤＳ５で次キーＫ６を押下すると、設定一覧Ｄ２が表示される。この設定一覧Ｄ２には、ワークフローに含まれる各設定項目と、各設定項目における設定値が表示される。又、設定一覧Ｄ２では、実行開始キーＫ７と設定変更キーＫ８が表示される。実行開始キーＫ７を押下すると、本体制御部９は、設定一覧Ｄ２に示される内容を把握し、把握した内容で複合機１００を制御し、コピーが行われる。設定変更キーＫ８が押下されると、例えば、再び、「用紙選択」の設定画面ＤＳ１が表示され、使用者は、ワークフローに含まれる設定項目について再度、設定を行える。
【００９１】
［メニュー表示形式］
次に、図７を用いて、ワークフローでのメニュー表示形式を説明する。例えば、図７は、図５における「節約コピー」のワークフローを呼び出した際のメニュー表示形式でのメニュー画面Ｄ３の一例を示している。
【００９２】
図７に示すように、メニュー表示形式では、「節約コピー」のワークフローを呼び出すと「用紙選択」のメニュー画像ｉ１、「排出先選択」のメニュー画像ｉ２、「倍率」のメニュー画像ｉ３、「集約」のメニュー画像ｉ４、そして「両面／分割」のメニュー画像ｉ５が表示される。従って、選択されるワークフローによって、メニュー画面Ｄ３に表示されるメニュー画像が異なることになる。そして、それぞれのメニュー画像には、デフォルトの設定値も表示される。このように、メニュー表示形式では、ワークフローに含まれる設定項目がメニューとして表示される。
【００９３】
使用者は、設定値を変更したい設定項目のメニュー画像を押下する。これにより、液晶表示部１１の表示は、例えば、図６に示したような、設定項目ごとの設定画面ＤＳに切り替わる。そして、設定画面ＤＳでの設定が完了すると、液晶表示部１１の表示は、図７に示すメニュー画面Ｄ３に再び切り替わる。
【００９４】
又、メニュー画面Ｄ３には、ＯＫキーＫ９とキャンセルキーＫ１０が配される。ＯＫキーＫ９が押下されると、図６に示した設定一覧Ｄ２が液晶表示部１１に表示される。設定一覧Ｄ２の詳細は、図６を用いて説明した場合と同様でよく、説明を省略する。一方、キャンセルキーＫ１０が押下されると、ワークフローを用いた設定がキャンセルされる。
【００９５】
［一覧表表示形式］
次に、図６を用いて、ワークフローでの一覧表表示形式を説明する。この一覧表表示形式では、図５の呼出画面Ｄ１で押下して、使用するワークフローを選択すると、いきなり、図６に示した設定一覧Ｄ２が液晶表示部１１に表示される。設定一覧Ｄ２の詳細は、図６を用いてウィザード表示形式で説明した場合と同様でよいので、説明を省略する。
【００９６】
（ワークフローの作成、登録の概要）
次に、図８〜図１０を用いて、本発明の実施形態に係る複合機１００でのワークフローの作成、登録の概要を説明する。図８は、本発明の実施形態に係る複合機１００での通常モードでの設定項目の選択画面ＤＦ１の一例を示す説明図である。図９は、本発明の実施形態に係る複合機１００でのワークフロー登録モードでの設定項目の選択画面ＤＦ２の一例を示す説明図である。図１０は、本発明の実施形態に係る複合機１００でのワークフローを登録する際の登録確認ウィンドウＷの一例である。
【００９７】
本実施形態の複合機１００は、使用者が任意に設定項目を選択して設定を行う通常モードと、新規のワークフローの作成、登録を行うためのワークフロー登録モードを有する。図８は、通常モードでのコピーに関する設定項目の選択画面ＤＦ１の一例を示す。
【００９８】
図８に示すように、通常モードでのコピーの機能に関する設定項目の選択画面ＤＦ１では、原稿／用紙／仕上げタブＴＢ１、画質タブＴＢ２、レイアウト／編集タブＴＢ３、応用／その他タブＴＢ４といった複数のタブが設けられる。尚、タブは、更に複数種設けられてもよい。例えば、原稿／用紙／仕上げタブＴＢ１には、原稿サイズキーＫ１１、用紙選択キーＫ１２、原稿セット向きキーＫ１３、ソート／仕分けキーＫ１４、ステープルキーＫ１５、パンチキーＫ１６、排出先キーＫ１７といった設定項目を選択するためのキーが配される。そして、画質タブＴＢ２、レイアウト／編集タブＴＢ３、応用／その他タブＴＢ４には他の設定項目を選択するするためのキーが分散して配される。又、表示制御部１０は、押下された設定項目のキーに対応した設定画面ＤＳを呼び出して液晶表示部１０に表示させる。使用者は何れかのタブを押下することで、任意の設定項目を選択できる。
【００９９】
一方、操作パネル１のモードを通常モードからワークフロー登録モードするには、例えば、操作パネル１のワークフローキー１７を押下し、呼出画面Ｄ１で登録／編集キーＫ１を押下するとワークフロー登録モードとなる。又、例えば、ワークフローキー１７の長押しでワークフロー登録モードとなってもよく、通常モードからワークフロー登録モードに切り替えるための操作は適宜設定できる。尚、ワークフロー登録モードでのワークフローの作成、登録が完了すれば、操作パネル１のモードは、通常モードに戻る。
【０１００】
そして、図９はワークフロー登録モードでの設定項目の選択画面ＤＦ２の一例を示す。例えば、図９に示すように選択画面ＤＦ２では、通常モードでの設定項目の選択画面ＤＦ１と同様の表示が行われる。言い換えると、通常モードでの設定項目の選択に用いる画像データと同じ画像データに基づいてワークフロー登録モードでの選択画面ＤＦ２が表示される。例えば、通常モードの選択画面ＤＦ１と同様に、原稿／用紙／仕上げタブＴＢ１、画質タブＴＢ２、レイアウト／編集タブＴＢ３、応用／その他タブＴＢ４が示される。
【０１０１】
又、通常モードの選択画面ＤＦ１と同様に、原稿／用紙／仕上げタブＴＢ１では、原稿サイズキーＫ１１、用紙選択キーＫ１２、原稿セット向きキーＫ１３、ソート／仕分けキーＫ１４、ステープルキーＫ１５、パンチキーＫ１６、排出先キーＫ１７が配される。尚、特に図示しないが、画質タブＴＢ２、レイアウト／編集タブＴＢ３、応用／その他タブＴＢ４でも、通常モードと同様の設定項目を選択するためのキーが配される。
【０１０２】
これにより、使用者は、通常モードと同じ感覚で、ワークフローに含める設定項目を選択することができる。尚、選択画面ＤＦ２では、「ワークフロー登録モードです」というような、ワークフロー登録モードである旨の表示がなされる。これは、通常モードとワークフロー登録モードでは、同様の表示が行われるので、使用者のモードの混同を避けるためである。
【０１０３】
又、使用者のモードの混同をさけるため、例えば、表示制御部１０は、ワークフローキー１７に埋め込まれたインジケータとしてのＬＥＤ１８を点滅させたり（図３参照）、液晶表示部１１での表示色を通常モードとワークフロー登録モードで異ならせたりしてもよい。即ち、表示入力装置（例えば、操作パネル１）の状態を報知するためのインジケータ（ＬＥＤ１８）が設けられ、表示制御部１０は、ワークフロー登録モードでは、インジケータの点消灯及び／又は、表示部での表示色をワークフロー登録モードでないときの表示色と変える。
【０１０４】
ここで、ワークフロー登録モードでの選択画面ＤＦ２では、通常モードと異なり、液晶表示部１１の左部分にワークフロー設定状況画像ｉ６が表示される。このワークフロー設定状況画像ｉ６は、既に選択された設定項目を示す１又は複数の選択済設定項目画像ｉ７と、未選択の設定項目を示す１つの未選択設定項目画像ｉ８と、選択済設定項目画像ｉ７と未選択設定項目画像ｉ８を繋ぐ矢印の画像からなる。
【０１０５】
ワークフローに設定項目を追加する場合、使用者は、例えば、未選択設定項目画像ｉ８を押下する。未選択設定項目画像ｉ８内には、例えば、「設定してください」といった文字が含まれる。そして、使用者は、各タブや、各タブ内に含まれる設定項目を示すキーを押下することで、作成中のワークフローに設定項目を追加することができる。
【０１０６】
又、設定項目のキーが押下されると、押下した設定項目に対応する設定画面ＤＳが表示され、設定画面ＤＳ内に表示されるキーを押下することで、ワークフローを呼び出した時のデフォルトの設定値を設定することができる。尚、押下した設定項目に対応する設定画面ＤＳも、通常モードとワークフロー登録モードとでは同様のものでよい。例えば、図９に示す選択画面ＤＦ２で、用紙選択キーＫ１２を押下すると、図６の左列最上段に示す設定画面ＤＳが表示される。
【０１０７】
そして、未選択設定項目画像ｉ８を押下し、設定項目や設定値の選択、設定が完了した設定項目は、ワークフロー設定状況画像ｉ６内の選択済設定項目画像ｉ７として、追加される。尚、選択済設定項目画像ｉ７は、選択順で表示される。言い換えると、作成中のワークフローに含めると選択された設定項目のうち、先に選択されたものほど、未選択設定項目画像ｉ８から遠い位置となる。尚、選択順は、ウィザード表示形式で表示する際の設定項目の表示順となる。
【０１０８】
尚、液晶表示部１１での表示領域には限界があり、一方で、ワークフローには複数の設定項目を含めることができるので、１画面中に全ての選択済設定項目画像ｉ７を表示できない場合が生じ得る。そこで、ワークフロー設定状況画像ｉ６の左側にスクロールバーｉ９が設けられる。使用者は、スクロールバーｉ９を押下したまま（ドラッグ状態で維持のまま）、押下物（例えば、指やタッチペン等）を上下動させることで、任意の選択済設定項目画像ｉ７を表示させることができる。
【０１０９】
更に、選択済設定項目画像ｉ７を押下することで、選択済設定項目画像ｉ７に対応する設定項目の設定画面ＤＳを表示するようにしてもよい。これにより、詳細確認や設定値の変更を行うことができる。更に、選択済設定項目画像ｉ７をドラッグしたまま、他の選択済設定項目画像ｉ７と選択済設定項目画像ｉ７の間に移動することで、ワークフローに含める設定項目の順番を変更することができるようにしてもよい。
【０１１０】
又、例えば、未選択設定項目画像ｉ８の下方には、作成完了キーＫ１８（終了キーに相当）が設けられる。表示制御部１０は、作成完了キーＫ１８の押下や、例えば、再び、ワークフローキー１７が押下されること等により、ワークフローの作成を完了し、ワークフローを登録する旨の入力として受け付ける。尚、ワークフローは、例えば、記憶装置９２に記憶される（操作パネル１のメモリ１０１でもよい）。又、ワークフローの最終的な登録前に（記憶装置９２等への記憶前に）、表示制御部１０は、液晶表示部１１にソフトキーボードを表示させ、作成したワークフローの名称入力を行えるようにしたり、ワークフローの表示形式を決めるための画面を表示させてもよい。
【０１１１】
又、本実施形態の複合機１００では、通常モードとワークフロー登録モードで同様の画像が表示されるので、使用者は、ワークフロー登録モードと知らずに、ジョブの設定を行うことがある。そこで、例えば、ワークフローの登録前には、図１０（ａ）、（ｂ）に示すような登録確認ウィンドウＷ１、登録確認ウィンドウＷ２を表示させても良い。
【０１１２】
図１０（ａ）に示す登録確認ウィンドウＷ１では、ワークフローを登録してよいかのメッセージが表示される。又、ＹｅｓキーＫ１９、ＮｏキーＫ２０が配される。使用者がＹｅｓキーＫ１９を押下すると、ワークフローに含まれる設定項目、各設定項目のデフォルトの設定値、ワークフローの表示形式、ウィザード表示形式での表示順、ワークフローの名称、等を含むデータが操作パネル１から記憶装置９２に向けて送信される。そして、記憶装置９２は作成されたワークフローを新たに記憶する。尚、新たに作成されたワークフロー（の内容を示すデータ）は、操作パネル１のメモリ１０１に記憶されてもよい。一方、ＮｏキーＫ２０が押下されると、ワークフローの新規の登録は、行われない。
【０１１３】
一方、本実施形態では、ワークフロー登録モードでも、通常モードでも、設定項目の選択画面ＤＦや、設定項目内の設定値の設定画面ＤＳは、同じ画像データを用いて表示される。そこで、図１０（ｂ）に示す登録確認ウィンドウＷ２は、使用者のモードの混同を考慮して、ＹｅｓキーＫ１９、ＮｏキーＫ２０の他、印刷／送信キーＫ２１を設けてもよい。図１０（ｂ）は、印刷／送信キーＫ２１を含む登録確認ウィンドウＷ２を示す。モードを混同した使用者は、作成したワークフローの内容で、コピーや画像読取部３で読み取られた画像データの送信を行いたい場合、印刷／送信キーＫ２１を押下する。これにより、表示制御部１０は、ワークフローとして選択された設定項目、及び、各設定項目の設定値を示すデータを本体制御部９に送信し、本体制御部９は、複合機１００内の各部を制御し、受信したデータに基づき、コピーや画像データの送信を行わせる。
【０１１４】
尚、登録確認ウィンドウＷ１と登録確認ウィンドウＷ２の使い分けは、任意に定めることができる。例えば、ワークフロー登録モードでワークフローの作成を完了するため、作成完了キーＫ１８が押下された場合、使用者は、ワークフローの登録を行っていることを認識している可能性が高いので、例えば、表示制御部１０は、登録確認ウィンドウＷ１を液晶表示部１１に表示させる。一方、通常モードでのジョブはスタートキー１４の押下によって開始されるので、例えば、表示制御部１０は、ワークフロー登録モードでスタートキー１４が押下されると、登録確認ウィンドウＷ２を表示するようにしてもよい。
【０１１５】
（ワークフローの作成中の設定項目の表示）
次に、図１１を用いて、本発明の実施形態に係る複合機１００でのワークフロー作成時の設定項目の表示の一例を説明する。図１１は、本発明の実施形態に係る複合機１００でのワークフロー作成時の設定項目の表示の一例を示す説明図である。
【０１１６】
例えば、図１１では、選択済設定項目画像ｉ７として示すように、すでに排出先や用紙選択の設定項目が作成中のワークフローに含めるとして選択された状態である。重複して設定項目が選択することを避け、スムーズなワークフローの作成の観点から言えば、排出先キーＫ１７や用紙選択キーＫ１２は、表示する必要がない。
【０１１７】
そこで、表示制御部１０は、用紙/仕上げ／原稿タブに含まれる設定項目のキーとして、排出先キーＫ１７や用紙選択キーＫ１２を選択できない状態とする。例えば、表示制御部１０は、図１１に示すように、表示制御部１０は、液晶表示部１１に排出先キーＫ１７や用紙選択キーＫ１２をグレーアウト状態で表示させ、排出先キーＫ１７や用紙選択キーＫ１２が押下されても、受け付けない（以下、いずれの場合も、表示制御部１０は、グレーアウト状態で表示されたキーが押下されても受け付けない。）。或いは、表示制御部１０は、選択済の設定項目に対応する排出先キーＫ１７や用紙選択キーＫ１２を液晶表示部１１に表示させない。
【０１１８】
（ワークフローの作成中の設定項目の一覧表示）
次に、図１２を用いて、本発明の実施形態に係る複合機１００でのワークフロー作成時の設定項目の一覧表示の一例を説明する。図１２は、本発明の実施形態に係る複合機１００でのワークフロー作成時の設定項目の一覧表示の一例を示す説明図である。
【０１１９】
作成中のワークフローに含める設定項目が多くなると、使用者は、どの設定項目を含めるか忘れ得る。そこで、ワークフロー登録モードでは、通常モードと異なり、例えば、選択一覧タブＴＢ０が設けられる。
【０１２０】
この選択一覧タブＴＢ０が押下されると、表示制御部１０は、液晶表示部１１に、作成中のワークフローに含めると選択された設定項目を並べた選択一覧画面Ｄ４を表示させる。尚、選択一覧画面Ｄ４内では、各設定項目は、キーとして表示され、キーとキーの間の矢印は、設定項目の設定順を示す。例えば、図１２に示す例では、作成中のワークフローに倍率、原稿セット向き、集約の設定項目が選択され、含められた状態である。これにより、どのような設定項目を作成中のワークフローに含めたか認識しやすくなる。
【０１２１】
更に、この選択一覧画面Ｄ４では、表示制御部１０は、液晶表示部１１に各設定項目とその設定値による処理の効果を示すイメージ画像ｉｍを表示させる。例えば、左から、倍率（拡大縮小）処理を施したイメージ画像ｉｍ１、原稿セット向きの設定値により向きが変わったイメージ画像ｉｍ２、集約処理（４ｉｎ１）により、４枚の原稿が集約されたことを示すイメージ画像ｉｍ３が表示される。
【０１２２】
又、この選択一覧画面Ｄ４では、作成中のワークフローに含めるとされた設定項目は、キーとして表示される。例えば、図１２に示す例では、倍率キーＫ２２、原稿セット向きキーＫ１３、集約キーＫ２３である。そこで、選択一覧画面Ｄ４内のキーを押下しドラッグしたまま、他のキーとの間（矢印マークの位置）に移動することで、ワークフローに含める設定項目の順番を変更することができるようにしてもよい。
【０１２３】
又、選択一覧画面Ｄ４では、設定項目の削除を行えるようにしてもよい。例えば、削除キーＫ２４を設け、表示制御部１０は、削除キーＫ２４が押された後、選択一覧画面Ｄ４内のキーや選択済設定項目画像ｉ７が押下されると、作成中のワークフローから設定項目を削除するようにしてもよい。又、表示制御部１０は、選択一覧画面Ｄ４内のキーに対する連続的な二度押し（ダブルクリック）を、二度押しされたキーの設定項目の削除指示と認識してもよい。又、表示制御部１０は、選択一覧画面Ｄ４に限らず、選択済設定項目画像ｉ７の連続的な二度押し（ダブルクリック）を設定項目の削除指示と認識してもよい。
【０１２４】
（ワークフローでの禁則解消、防止）
次に、図１３及び図１４を用いて、本発明の実施形態に係る複合機１００でのワークフロー作成時の設定項目の禁則の解消、防止の一例を説明する。図１３は、本発明の実施形態に係る複合機１００でのワークフロー作成時の設定項目の禁則解消の一例を示す説明図である。図１４は、本発明の実施形態に係る複合機１００でのワークフロー作成時の設定項目の禁則防止の一例を示す説明図である。
【０１２５】
複合機１００を利用する上で、矛盾する設定が行われることを避けなければならない。このような、設定項目や設定項目内の設定値における矛盾する関係は、予め把握することができる。そして、このような設定項目や設定項目内の設定値における矛盾する関係は、禁則関係として、例えば、記憶装置９２は（メモリ１０１でもよい）、予めに禁則関係を定めたデータ（禁則データ）として記憶する。
【０１２６】
例えば、ワークフロー登録モードでは、操作パネル１になされた設定は、逐次、本体制御部９に送信される。そして、本体制御部９は、操作パネル１でなされた設定に禁則が発生していないか確認する。もし、禁則関係にある設定がなされれば、本体制御部９は、その旨を示すデータを操作パネル１に送信する。これにより、表示制御部１０は、作成中のワークフローでの禁則関係の発生を認識できる。或いは、禁則関係を定めたデータ（禁則データ）を操作パネル１のメモリ１０１に記憶させておけば、表示制御部１０は、本体制御部９と通信することなく禁則関係の発生を認識できる。
【０１２７】
そこで、図１３を用いて、作成中のワークフローでの禁則解消の一例を説明する。例えば、図１３（ａ）では、ステープルと排出先の禁則関係の一例を示している。ステープルを行うためには、用紙は、後処理装置２に搬送される必要がある。そして、ステープルされた用紙束は、一定の厚さがある。後処理装置２から複合機１００方向に逆送すれば、用紙が搬送中に詰まる。又、ステープル処理完了時、後処理装置２に向けての用紙が続けられている場合もある。そのため、後処理装置２から用紙束を複合機１００本体に搬送して排出トレイ８１に排出することは、非現実的である。そこで、ステープルが施された用紙束は、後処理装置２の主排出トレイ２１１にのみ排出可能とされる。そのため、記憶装置９２やメモリ１０１には、ステープルを行う設定と、排出先を複合機１００本体の排出トレイ８１とする設定は、禁則関係であると定められる。
【０１２８】
又、ステープルに関する禁則としては、用紙サイズとの関係もある。ステープルを行うためには、ステープル処理を行う機構との関係上、用紙は一定以上のサイズが必要な場合がある（例えば、Ａ５以上等）。そのため、記憶装置９２やメモリ１０１には、予め定められたサイズよりも小さい用紙を用いての印刷と、ステープルを行う設定は、禁則関係であると定められる。
【０１２９】
作成中のワークフローで、このような禁則関係にある設定項目や設定値の設定がなされたとき、表示制御部１０は、図１３（ｂ）に示すような禁則警告画像ｉ１０を液晶表示部１１に表示させる。この禁則警告画像ｉ１０には、例えば、矛盾した設定が行われた旨のメッセージと、作成中のワークフローでの設定項目の削除や設定値の変更を求めるメッセージが含まれる。これにより、使用者は、作成中のワークフローで禁則の発生と解消すべきことを容易に認識できる。例えば、使用者は、禁則関係にある一方の設定項目に対応する選択済設定項目画像ｉ７（図１３（ｂ）では、「排出先」と「ステープル」の選択済設定項目画像ｉ７）を押下し、設定画面ＤＳを開く等で、禁則関係を解消することになる。又、図１３（ｂ）に示すように、使用者に禁則関係にある設定項目を認識しやすくするため、表示制御部１０は、液晶表示部１１に、禁則関係にある選択済設定項目画像ｉ７を点滅又は白黒反転させるようにしてもよい。
【０１３０】
次に、図１４を用いて、作成中のワークフローでの禁則発生防止の一例を説明する。例えば、図１４では、コピーの印刷の画質に関する禁則関係の一例を示している。画質タブＴＢ２を押下すると、例えば、濃度調整や、印刷に用いるトナーの色や、各色成分の調整等、画質に関するキーが配される。例えば、画像処理部９４は、コピーに用いる画像データに対し、これらの画質に関する処理を行って、画質に関する設定が印刷結果として反映される。
【０１３１】
ここで、画質に関する設定項目には、カラーコピーにのみ関する設定項目がある。例えば、図１４に示すように、コピーでの印刷色に関する設定項目に対応するカラー選択キーＫ２９を押下し、作成中のワークフローで、カラー選択の設定項目を白黒印刷（例えば、白黒２値印刷）の設定値とすると、カラーコピーにのみ関する設定項目については、設定を行う必要がなくなる。このように画質に関する設定項目に示すように、複合機１００には、１つの設定項目における設定値の設定によって、他の設定項目の設定が不要となる関係が含まれ、このような関係は、予め把握することができ、記憶装置９２やメモリ１０１は、１つの設定項目における設定値の設定によって、他の設定項目の設定が不要となる関係を禁則関係であるとして記憶する。
【０１３２】
作成中のワークフローで、ある設定項目の設定値により、他の設定項目での設定が不要となった場合、表示制御部１０は、図１４に示すように、設定が不要となった設定項目に対応するキーをグレーアウト表示とする。例えば、１種類のブラック以外のトナーを用いて印刷を行うための設定項目に対応する単色カラー印刷キーＫ２５、２種類のブラック以外のトナーを用いて印刷を行うための設定項目に対応する２色カラー印刷キーＫ２６、カラーコピーでの各色成分のバランス調整を行う設定項目に対応するカラーバランスキーＫ２７、カラーコピーでの各色成分の色相調整を行う設定項目に対応する色相調整キーＫ２８等は、グレーアウト表示される。又、表示制御部１０は、グレーアウト表示されたキーが押下されても、受け付けない。或いは、表示制御部１０は、設定が不要となった設定項目に対応するキーを、選択画面ＤＦ２から消去してもよい。尚、図１４では、印刷する画像の色（白黒、カラー）等の設定項目に対応するカラー選択キーＫ２９は、既に選択済みであるのでグレーアウト状態として図示している。
【０１３３】
これにより、作成中のワークフローでの禁則関係発生を未然に防ぐことができる。又、図１３（ｂ）に示したように、禁則関係が生じてから禁則警告画像ｉ１０を表示するか、図１４に示したように、先に選択された設定項目と設定値を優先し禁則関係の発生が生ずるような設定項目の選択を防止するかは、禁則関係の種類ごとに適宜設定すればよい。又、全ての禁則関係について、禁則関係が生じてから禁則警告画像ｉ１０を表示するようにしてもよい。又、全ての禁則関係について、先に選択された設定項目と設定値を優先し禁則関係の発生が生ずるような設定項目の選択を防止するようにしてもよい。
【０１３４】
（ワークフローの作成、登録の流れ）
次に、図１５、図１６を用いて、本発明の実施形態に係る複合機１００でのワークフロー登録の流れの一例を説明する。図１５は、本発明の実施形態に係るワークフローの作成完了の旨の入力が行われるまでのワークフロー登録の流れの一例を示すフローチャートである。図１６は、本発明の実施形態に係る複合機１００でのワークフローの作成完了の旨の入力が行われた後のワークフロー登録の流れの一例を示すフローチャートである。
【０１３５】
まず、図１５におけるスタートは、ワークフローキー１７が押下され、呼出画面Ｄ１で、登録／編集キーＫ１が押下され（図５参照）、ワークフローが新規の新規登録が開始された時点であり、ワークフロー登録モードとなった時点である。そして、例えば、新規に登録するワークフローの名称付けや、表示形式（ウィザード表示形式、一覧表表示形式、メニュー表示形式）の選択等が行われる（ステップ♯１）。尚、ワークフローの名称付けや、表示形式の選択は、ワークフローの作成完了後に行われてもよい（例えば、図１６のフローチャートの開始時）。
【０１３６】
次に、使用者は、コピーに関するワークフローを作成する場合は、コピーキー１５を押下し、送信（スキャンした画像データの記憶装置９２や外部のコンピュータ２００への送信や、スキャンした画像データのＦＡＸやＥメール送信等）に関するワークフローを作成する場合は、送信キー１６を押下し、作成するワークフローの種類（ここでは、コピー又は送信）を選択する（ステップ♯２）。
【０１３７】
表示制御部１０は、コピーキー１５や送信キー１６が押下されると、通常モードと同じ設定項目を選択する画面の画像データを用いて、液晶表示部１１に選択画面ＤＦ２を表示させる（ステップ♯３）。又、併せて、表示制御部１０は液晶表示部１１に選択済設定項目画像ｉ７や未選択設定項目画像ｉ８やスクロールバーｉ９や、ワークフロー登録モードである旨を表示して、ワークフロー登録モード用の画像も表示させる（ステップ♯４）。
【０１３８】
即ち、表示制御部１０は、ワークフロー登録モードでは、選択された設定項目を示すワークフロー設定状況画像ｉ６を表示部（液晶表示部１１）に表示させる。又、表示制御部１０は、ワークフロー設定状況画像ｉ６として、既に選択された設定項目を示す選択済設定項目画像ｉ７を選択順に表示部に表示させ、入力部（タッチパネル部１２、スタートキー１４、ワークフローキー１７、テンキー部１３等）は、ワークフロー設定状況画像ｉ６をスクロールさせる方向指示の入力を受け付け、表示制御部１０は、表示部にスクロールさせると指示された方向にワークフロー設定状況画像ｉ６をスクロールさせる。又、表示制御部１０は、ワークフロー設定状況画像ｉ６として、既に選択された設定項目を示す選択済設定項目画像ｉ７を選択順に表示部に表示させ、表示制御部１０は、選択済設定項目画像ｉ７を指定する入力が行われると、指定された選択済設定項目画像ｉ７に対応する設定項目の設定画面ＤＳを表示部に表示させる。
【０１３９】
そして、表示制御部１０は、各設定項目に対応するキーが押下され、作成中のワークフローに新たな設定項目を含める入力が行われたかを確認する（ステップ♯５）。この入力では、例えば、設定項目のデフォルトの設定値を定める入力も行われる。作成中のワークフローに新たな設定項目を含める入力が行われれば（ステップ♯５のＹｅｓ）、本体制御部９と表示制御部１０は、作成中のワークフローに新たに含められた設定項目の設定値に関しての禁則関係の発生を確認する（ステップ♯６）。尚、本フローチャートでは、個々の禁則関係では、禁則関係が生じてから禁則警告画像ｉ１０を表示する第１の禁則関係と、先に選択された設定項目と設定値を優先し禁則関係の発生が生ずるような設定項目の選択を防止させる第２の禁則関係の２種がある例を説明する。
【０１４０】
もし、第１の禁則関係に分類される禁則関係が発生していれば（ステップ♯６のＹｅｓ）、表示制御部１０は、液晶表示部１１の表示により、禁則警告画像ｉ１０を表示させる（ステップ♯７）。即ち、表示制御部１０は、ワークフロー登録モードで選択された各設定項目と設定値によって、予め禁止と定められた設定の組み合わせの関係である禁則関係が生じた場合、禁則関係が生じた旨をしめす禁則警告画像ｉ１０を表示部（液晶表示部１１）に表示させる。
【０１４１】
そして、使用者による禁則関係の解消の入力が行われる（設定項目の削除や設定値の変更等、ステップ♯８）。ステップ♯８の後、例えば、ステップ♯３に戻る。一方、第１の禁則関係に分類される禁則関係が発生していなければ（ステップ♯７のＮｏ）、本体制御部９と表示制御部１０は、選択された設定項目と設定値が第２の禁則関係における設定項目と設定値に該当するか確認する（ステップ♯９）。言い換えると、先になされた設定項目及び設定値の入力が第２の禁則関係における一方の設定項目、設定値にあたるかを確認する（ステップ♯９）。
【０１４２】
もし、第２の禁則関係における一方の設定項目、設定値にあたり、設定不要な設定項目が生じていれば（ステップ♯９のＹｅｓ）、表示制御部１０は、液晶表示部１１に、設定不要な設定項目に対応するキーをグレーアウト表示させ、グレーアウト表示されたキーへの入力を受け付けない。或いは、表示制御部１０は、不要な設定項目に対応するキーの表示を消させて、設定不要な設定項目を選択できない状態にする（ステップ♯１０）。即ち、表示制御部１０は、ワークフロー登録モードで選択された各設定項目と設定値が、予め禁止と定められた設定の組み合わせの関係である禁則関係の一方に当てはまる場合、禁則関係にある他方の設定項目を、選択できなくする。
【０１４３】
一方、設定不要な設定項目が生じていない場合（ステップ♯９のＮｏ）及びステップ♯１０の後、表示制御部１０は、直前に選択された設定項目の選択済設定項目画像ｉ７を追加表示する。又、表示制御部１０は、選択済の設定項目に対応するキーをワークフロー登録モードでの設定項目の選択画面ＤＦでグレーアウト表示させ、グレーアウト表示されたキーへの入力を受け付けない。或いは、表示制御部１０は、選択済の設定項目に対応するキーを非表示とさせる（ステップ♯１１）。即ち、表示制御部１０は、ワークフロー登録モードでは、既に選択された各設定項目を、選択できなくする。この選択済設定項目画像ｉ７の追加に併せて、選択順が古いもののから選択済設定項目画像ｉ７が消去される。その後、例えば、ステップ♯３に戻る。
【０１４４】
一方、新たな設定項目を含める入力が行われていない場合（ステップ♯５）、表示制御部１０は、選択一覧タブＴＢ０が押下された状態かを確認する（ステップ♯１２）。もし、選択一覧タブＴＢ０が押下されていない場合（押下されている状態ではない場合、ステップ♯１２のＮｏ）、例えば、ステップ♯３に戻る。一方、選択一覧タブＴＢ０が押下された状態であれば（ステップ♯１２のＹｅｓ）、表示制御部１０は、液晶表示部１１に選択一覧画面Ｄ４を表示させる（ステップ♯１３）。
【０１４５】
即ち、入力部（タッチパネル部１２）は、ワークフロー登録モードでワークフローとして登録すると選択された設定項目をまとめて、設定項目の設定順に列挙して表示する選択一覧画面Ｄ４を表示させる入力を受け付け、表示制御部１０は、選択一覧画面Ｄ４を表示させる入力が入力部になされたとき、表示部に選択一覧画面Ｄ４を表示させる。
【０１４６】
更に、表示制御部１０は、作成中のワークフローに含められた設定項目とその設定値に併せてイメージ画像ｉｍを１又は複数表示する（ステップ♯１４）。即ち、表示制御部１０は、選択一覧画面Ｄ４で、ワークフローに含めると選択された各設定項目について、設定値による処理の結果をそれぞれ反映させたイメージ画像ｉｍを、複数並べて表示部（液晶表示部１１）に表示させる。又、表示制御部１０は、設定項目の削除等、選択一覧画面Ｄ４での操作、入力を受け付ける（ステップ♯１５）。その後、例えば、ステップ♯１２に戻る。
【０１４７】
このように、ワークフロー登録モードでは、ワークフローの作成を完了する旨の入力がなされるまで、設定項目の追加／削除や、ワークフローでのデフォルトの設定値の設定等が続けられる。
【０１４８】
次に、図１６を用いて、ワークフローの作成完了の入力が行われた後の流れを説明する。例えば、表示制御部１０は、選択画面ＤＦ２での作成完了キーＫ１８が押下されたことや、ワークフローキー１７が再度押下されたことや、スタートキー１４が押下されたことを、ワークフローの作成完了の入力として受け付ける。言い換えると、使用者は、液晶表示部１１に表示されたキーや、操作パネル１に設けられたハードキーを押下しても、ワークフローの作成完了の入力を行える。即ち、開始キー、終了キー（ワークフローキー１７、作成完了キーＫ１８、スタートキー１４等）は、表示部（液晶表示部１１）に表示されるキー、及び／又は、ハードキーとして設けられる。
【０１４９】
図１６のスタートは、例えば、作成完了キーＫ１８、ワークフローキー１７、スタートキー１４の何れかが押下され、ワークフロー作成完了の旨の入力が行われた時点である。次に、表示制御部１０は、ワークフローキー１７又は作成完了キーＫ１８が押下されたかを確認する（ステップ♯２１）。
【０１５０】
もし、ワークフローキー１７又は作成完了キーＫ１８が押下されたのであれば（ステップ♯２１のＹｅｓ）、表示制御部１０は、ワークフローの登録を確認するための登録確認ウィンドウＷ１（第１の登録確認ウィンドウＷ。図１０（ａ）参照）を表示する（ステップ♯２２）。即ち、表示制御部１０は、終了キー（ワークフローキー１７、作成完了キーＫ１８）が押下されると、ワークフローを作成してよいかの確認を行うための登録確認ウィンドウＷ１を表示する。そして、表示制御部１０は、登録確認ウィンドウＷ１でＹｅｓキーＫ１９が押下されたかを確認する（ステップ♯２３）。
【０１５１】
もし、ＹｅｓキーＫ１９が押下されれば（ステップ♯２３のＹｅｓ）、記憶装置９２又はメモリ１０１は、ワークフロー（選択された設定項目、各設定項目でデフォルトとしての設定値、設定項目の順番、表示形式、名称等を含むデータ、プログラム）を記憶して登録する（ステップ♯２４）。そして、表示制御部１０は、操作パネル１でのワークフロー登録モードを終了させ、通常モードに移行、復帰させる（ステップ♯２５→エンド）。
【０１５２】
即ち、表示入力装置（例えば、操作パネル１）は、実行可能な複数種の機能を設定項目として表示する表示部（液晶表示部１１）と、表示部での表示を制御する表示制御部１０と、設定項目を選択する入力を受け付ける入力部（タッチパネル部１２、スタートキー１４、ワークフローキー１７、テンキー部１３等）と、表示部に表示させる設定画面ＤＳに係るデータを記憶するとともに、入力部への入力に基づき呼び出され、予め複数の設定項目の中から選択され、登録された設定項目の組み合わせであり、呼び出すことにより予め選択、登録された設定項目を設定するための画面を表示部に表示させるプログラムであるワークフローを記憶する記憶部（記憶装置９２、メモリ１０１）と、ワークフローの登録を開始する際に押下される開始キー（ワークフローキー１７）と、ワークフローの作成を完了する際に押下される終了キー（ワークフローキー１７、作成完了キーＫ１８、スタートキー１４）と、を有し、表示制御部１０は、開始キーが押下されてから、終了キーが押下されるまで、表示入力装置のモードを、標準の入力モードである通常モードからワークフロー登録モードに移行し、表示部は、通常モードでの設定項目の選択画面ＤＦを表示するための画像データと同じ画像データを用いワークフロー登録モードでの設定項目の選択画面ＤＦを表示し、入力部は、設定項目を選択する入力を受け付け、記憶部は、ワークフロー登録モードで選択された設定項目を含むワークフローを記憶する。
【０１５３】
又、表示入力装置（例えば、操作パネル１）の表示部（液晶表示部１１）は、通常モードでの設定項目内の設定値を設定するための設定画面ＤＳを表示するための画像データと同じ画像データを用いて、ワークフロー登録モードでの設定項目内の設定値を設定するための設定画面ＤＳを表示し、入力部（タッチパネル部１２、スタートキー１４、ワークフローキー１７、テンキー部１３等）は、各設定値を設定する入力を受け付け、記憶部（記憶装置９２、メモリ１０１）は、ワークフロー登録モードで設定された各設定項目内の設定値を、ワークフローにおけるデフォルトの設定値として記憶する。
【０１５４】
一方、ＹｅｓキーＫ１９が押下されなければ（ＮｏキーＫ２０が押下されれば、ステップ♯２３のＮｏ）、ワークフローを登録せずに、ステップ♯２５に移行する。又、スタートキー１４が押下されたのであれば（ステップ♯２１のＮｏ）、表示制御部１０は、登録確認ウィンドウＷ２（第２の登録確認ウィンドウＷ。図１０（ｂ）参照）を表示する（ステップ♯２６）。即ち、表示制御部１０は、終了キー（スタートキー１４）が押下されると、ワークフローを作成してよいかの確認を行うための登録確認ウィンドウＷ２を表示する。
【０１５５】
そして、表示制御部１０は、登録確認ウィンドウＷ２でＹｅｓキーＫ１９が押下されたかを確認する（ステップ♯２７）。もし、ＹｅｓキーＫ１９が押下されれば（ステップ♯２７のＹｅｓ）、ステップ♯２４に移行する。一方、ＹｅｓキーＫ１９が押下されなければ、表示制御部１０は、印刷／送信キー１６が押下されたかを確認する（ステップ♯２８）。
【０１５６】
もし、印刷／送信キー１６が押下されたのであれば（ステップ♯２８のＹｅｓ）、表示制御部１０は、その旨と、作成されたワークフローの内容を本体制御部９に送信し、本体制御部９は、画像形成部６等の各部を制御して作成されたワークフローの内容に基づき、コピー又は画像データ送信のジョブを実行させる（ステップ♯２９）。即ち、入力部（タッチパネル部１２）は、ワークフロー登録モードでワークフローとして作成された内容で処理を行う旨の入力を受け付ける。そして、ステップ♯２５に移行する。一方、印刷／送信キー１６が押下されたのでもなく、ＮｏキーＫ２０が押下されたのであった場合も（ステップ♯２８のＮｏ）、ステップ♯２５に移行する。
【０１５７】
このようにして、本発明によれば、通常モードでの設定項目の選択画面ＤＦの表示用の画像データと同じ画像データを用いワークフロー登録モードでの設定項目の選択画面ＤＦが表示されるので、通常の機能の設定項目の選択と同様の操作感覚でワークフローの作成、登録を行うことができる。又、開始キー（ワークフローキー１７）を押下するだけで、通常モードからワークフロー登録モードへの移行を行うことができる。これにより、使用者は、容易に独自のワークフローを作成、登録することができる。又、ワークフローの作成、登録のため、特別な画面や操作は不要でワークフロー登録機能を搭載するうえでの開発コストを抑えることができる。言い換えると、通常の設定と、ワークフローの作成で同じ資源（パネル資源）を使用できる。
【０１５８】
又、通常のモードでの設定値の設定画面ＤＳを表示するための画像データと同じ画像データを用いて、ワークフロー登録モードでの設定値の設定画面ＤＳが表示される。そして、記憶部（記憶装置９２、メモリ１０１）は、ワークフロー登録モードでの設定値をワークフローにおけるデフォルトの設定値として記憶する。これにより、通常の設定項目の設定値の設定と同様の操作感覚でワークフローとして設定値までも設定できる。又、ワークフロー登録モードでは、選択された設定項目を示すワークフロー設定状況画像ｉ６が表示部（液晶表示部１１）に表示される。これにより、作成中のワークフローに含ませるとして選択された設定項目は表示される。従って、使用者は、ワークフローの設定状況を容易に把握することができ、使用者はワークフローを容易に作成、登録できる。
【０１５９】
又、スクロールさせると指示された方向にワークフロー設定状況画像ｉ６はスクロールされる。これにより、１つのワークフローに含めようとする設定項目が複数に及び、１画面上で選択された全ての設定項目を表示できなくても、使用者は、スクロールすることでワークフローとして登録しようと選択された設定項目の全てを確認することができる。従って、使用者はワークフローを容易に作成、登録できる。
【０１６０】
又、選択済設定項目画像ｉ７を指定する入力が行われると、指定された選択済設定項目画像ｉ７に対応する設定項目の設定画面ＤＳが表示部（液晶表示部１１）に表示される。使用者は、設定項目や設定値の修正を行いたい設定項目を任意に、選択したうえで、迅速に設定値等の修正、変更等を行うことができる。従って、使用者はワークフローを迅速、容易に作成、登録できる。又、選択一覧画面Ｄ４を表示させることができる。これにより、使用者は、意図する（所望する）設定項目が漏れていないかを視認して確認できる。従って、使用者は、設定項目や設定値に誤りのない適切なワークフローを作成、登録しやすくなる。
【０１６１】
又、選択一覧画面Ｄ４で、選択された設定項目による処理の結果を反映させたイメージ画像ｉｍが表示部（液晶表示部１１）に表示される。これにより、使用者は、作成し、登録しようとするワークフローによる処理結果を確認することができる。従って、使用者は、設定項目の過不足を視認により確認でき、使用者にとって最適、的確なワークフローの作成、登録が容易となる。又、ワークフロー登録モードでは、既に選択された各設定項目は、選択できなくなる。これにより、使用者は、同じ設定項目について重複して選択することが無く、ワークフローを容易に作成、登録できる。
【０１６２】
又、先に選択した設定項目及び設定値の設定と、後に選択した設定項目と設定値の設定に矛盾が生ずる場合がある（例えば、画像形成装置で言えば、原稿の白黒とカラーの自動判別設定を行ったのに、カラー印刷を行う設定を行った場合など）。このような場合、設定が食い違うため、処理を実行できないワークフローが作成される。しかし、この構成によれば、予め禁止と定められた設定の組み合わせの関係である禁則関係が生じた場合、その旨をしめす禁則警告画像ｉ１０が表示部（液晶表示部１１）に表示される。これにより、矛盾のあるワークフローの作成、登録を防ぐことができる。従って、使用者にとって最適、的確なワークフローの作成、登録を容易に行うことができる。又、表示制御部１０は、ワークフロー登録モードで選択された設定項目と設定値が、予め禁止と定められた設定の組み合わせの関係である禁則関係の一方に当てはまる場合、禁則関係にある他方の設定項目を、選択できなくする。これにより、先優先則に基づき、禁則関係が生ずるようなワークフローの作成、登録を防ぐことができる。従って、使用者にとって最適、的確なワークフローの作成、登録を容易に行うことができる。
【０１６３】
又、本発明は、通常の設定画面ＤＳ等の資源を用いて、ワークフローの作成、登録を可能とするものであるところ、使用者は、通常の設定モードとワークフロー登録モードを混同してしまうことがある。しかし、ワークフローを作成してよいかの確認を行うための登録確認ウィンドウＷが表示される。使用者は通常の設定モードとワークフロー登録モードとを混同していないか確認することができる。又、入力部（タッチパネル、スタートキー１４、ワークフローキー１７、テンキー部１３等）は、登録確認ウィンドウＷでワークフローを作成しない旨の入力がなされた場合、ワークフロー登録モードで設定された内容で処理（ジョブ）を行う旨の入力を受け付ける。これにより、ワークフロー登録モードであると気付かないで設定を行っても、作成されたワークフローの設定どおり処理を行える。
【０１６４】
又、表示制御部１０は、ワークフロー登録モードでは、インジケータ（ＬＥＤ１８）の点消灯、及び／又は、表示部（液晶表示部１１）での表示色をワークフロー登録モードでないときの表示色と変える。これにより、ワークフロー登録モードであることを使用者に容易に認識させることができる。本発明では、通常の設定画面ＤＳ等の資源を用いて、ワークフローの作成、登録を可能とするものであり、使用者のモードの混同を避けることができる。又、この構成によれば、開始キー（ワークフローキー１７）や終了キー（ワークフローキー１７、作成完了キーＫ１８、スタートキー１４等）を複数種設けることができる。又、画像形成装置の機能、処理に関するワークフローを容易に作成、登録可能な画像形成装置を提供することができる。
【０１６５】
以下、他の実施形態について説明する。上述の実施形態では、主に、コピーに関するワークフローの作成について説明した。しかし、複合機１００でいえば、画像読取部３で読み取った画像データのコンピュータ２００への送信や、記憶装置９２のＨＤＤへの送信や、画像データを添付したＥメールの送信や、ＦＡＸ送信のためのワークフローなど、本発明は、コピー以外の目的のためのワークフローの作成にも適用できる。
【０１６６】
又、本発明の実施形態を説明したが、本発明の範囲はこれに限定されるものではなく、発明の主旨を逸脱しない範囲で種々の変更を加えて実施することができる。
【産業上の利用可能性】
【０１６７】
本発明は、操作パネル等の表示部と入力部を有する表示入力装置や、画像形成装置に利用可能である。
【符号の説明】
【０１６８】
１      操作パネル（表示入力装置）      １０    表示制御部
１１    液晶表示部（表示部）            １３    テンキー部（入力部）
１２    タッチパネル部（入力部）        １４    スタートキー（入力部、終了キー）
１７    ワークフローキー（入力部、開始キー、終了キー）
１８    ＬＥＤ（インジケータ）          １０１  メモリ（記憶部）
９２    記憶装置                          １００  複合機（画像形成装置）
Ｄ４    選択一覧画面                    ＤＦ１  選択画面（通常モード）
ＤＦ２  選択画面（ワークフロー登録モード）
ＤＳ１  設定画面（通常モード）        ＤＳ２  設定画面（ワークフロー登録モード）
ｉ６    ワークフロー設定状況画像      ｉ７    選択済設定項目画像
ｉ１０  禁則警告画像                  ｉｍ（ｉｍ１〜ｉｍ３）    イメージ画像
Ｋ１８  作成完了キー（終了キー）      Ｗ１    登録確認ウィンドウ
Ｗ１    登録確認ウィンドウ
【図１】
0005439612.tif 000002
【図２】
0005439612.tif 000003
【図３】
0005439612.tif 000004
【図４】
0005439612.tif 000005
【図５】
0005439612.tif 000006
【図６】
0005439612.tif 000007
【図７】
0005439612.tif 000008
【図８】
0005439612.tif 000009
【図９】
0005439612.tif 000010
【図１０】
0005439612.tif 000011
【図１１】
0005439612.tif 000012
【図１３】
0005439612.tif 000013
【図１４】
0005439612.tif 000014
【図１５】
0005439612.tif 000015
【図１６】
0005439612.tif 000016
【図１２】
0005439612.tif 000017